【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】
入力データの任意のｍビットごとのデータを符号化単位とし、前記ｍビットごとのデータを、所定の変換テーブルにしたがって、ｍビットよりもビット数の多いｎビットの符号化データに変換する信号変調方法であって、
前記符号化データにおいて信号の反転を意味する「１」が連続する回数をｎより小であって２以上である所定数Ｎ以下に制限し、変調後の符号化データを信号記録媒体に記録した場合において最短記録マークが連続する回数が所定回数以下に制限されることを特徴とする信号変調方法。
【請求項２】
前記ｍ＝８、前記ｎ＝９、前記Ｎ＝３であることを特徴とする請求項１記載の信号変調方法。
【請求項３】
前記ｍ＝８、前記ｎ＝１０、前記Ｎ＝２であることを特徴とする請求項１記載の信号変調方法。
【請求項４】
符号化データにおいて信号の非反転を意味する「０」が連続する回数をｍより小なる所定数Ｍ以下に制限することを特徴とする請求項１記載の信号変調方法。
【請求項５】
前記ｍ＝８、前記ｎ＝９、前記Ｍ＝７であることを特徴とする請求項４記載の信号変調方法。
【請求項６】
前記ｍ＝８、前記ｎ＝１０、前記Ｍ＝６であることを特徴とする請求項４記載の信号変調方法。
【請求項７】
入力データの任意のｍビットごとのデータを符号化単位とし、前記ｍビットごとのデータを、所定の変換テーブルにしたがって、ｍビットよりもビット数の多いｎビットの符号化データに変換し、変換後の符号化データ列において信号の反転を意味する「１」と「１」の間に非反転を意味する「０」が１以上の所定数ｄ個以上含まれ、かつ、「０」の連続する個数を所定数ｋ以下として変換する信号変調方法であって、
符号化データにおいて「１」と「１」の間の「０」の個数が上記ｄ個であるデータ列が連続する回数をｋより小なる所定数Ｎ以下に制限し、変調後の符号化データを信号記録媒体に記録した場合において最短記録マークが連続する回数が所定回数以下に制限されることを特徴とする信号変調方法。
【請求項８】
入力データの任意のｍビットごとのデータを符号化単位とし、前記ｍビットごとのデータを、所定の変換テーブルにしたがって、ｍビットよりもビット数の多いｎビットの符号化データに変換して光ディスクに記録する光ディスク装置であって、
前記符号化データにおいて信号の反転を意味する「１」が連続する回数をｎより小であって２以上である所定数Ｎ以下に制限し、変調後の符号化データを光ディスクに記録した場合において最短記録マークが連続する回数が所定回数以下に制限されることを特徴とする光ディスク装置。
【請求項９】
前記ｍ＝８、前記ｎ＝９、前記Ｎ＝３であることを特徴とする請求項８記載の光ディスク装置。
【請求項１０】
前記ｍ＝８、前記ｎ＝１０、前記Ｎ＝２であることを特徴とする請求項８記載の光ディスク装置。
【請求項１１】  レーザ光を発する光源と、この光源の発するレーザ光を光ディスクの信号記録面上に集光する対物レンズとを備え、
上記光源の発するレーザー光の波長をλ、上記対物レンズの開口数をＮＡとし、光ディスクに記録される最短記録マーク長の大きさをＬとしたとき、
Ｌ≦（０．３λ）／ＮＡ
が成立していることを特徴とする請求項８記載の光ディスク装置。
【請求項１２】
符号化データにおいて信号の非反転を意味する「０」が連続する回数をｍより小なる所定数Ｍ以下に制限することを特徴とする請求項８記載の光ディスク装置。
【請求項１３】
前記ｍ＝８、前記ｎ＝９、前記Ｍ＝７であることを特徴とする請求項１２記載の光ディスク装置。
【請求項１４】
前記ｍ＝８、前記ｎ＝１０、前記Ｍ＝６であることを特徴とする請求項１２記載の光ディスク装置。
【請求項１５】
レーザ光を発する光源と、この光源の発するレーザ光を光ディスクの信号記録面上に集光する対物レンズとを備え、
上記光源の発するレーザー光の波長をλ、上記対物レンズの開口数をＮＡとし、光ディスクに記録される最短記録マーク長の大きさをＬとしたとき、
Ｌ≦（０．３λ）／ＮＡ
が成立していることを特徴とする請求項１２記載の光ディスク装置。
【請求項１６】
入力データの任意のｍビットごとのデータを符号化単位とし、前記ｍビットごとのデータを、所定の変換テーブルにしたがって、各々をｍビットよりもビット数の多いｎビットの符号化データに変換し、変換後のデータ列において信号の反転を意味する「１」と「１」の間に信号の非反転を意味する「０」が１以上の所定数ｄ個以上含まれ、かつ、「０」の連続する個数を所定数ｋ以下として変換して光ディスクに記録する光ディスク装置であって、
符号化データにおいて「１」と「１」の間の「０」の個数が上記ｄ個であるデータ列が連続する回数をｋより小なる所定数Ｎ以下に制限し、変調後の符号化データを信号記録媒体に記録した場合において最短記録マークが連続する回数が所定回数以下に制限されることを特徴とする光ディスク装置。
【請求項１７】
レーザ光を発する光源と、この光源の発するレーザ光を光ディスクの信号記録面上に集光する対物レンズとを備え、
上記光源の発するレーザー光の波長をλ、上記対物レンズの開口数をＮＡとし、光ディスクに記録される最短記録マーク長の大きさをＬとしたとき、
Ｌ≦（０．３λ）／ＮＡ
が成立していることを特徴とする請求項１６記載の光ディスク装置。
【請求項１８】
任意のｍビットごとのデータを符号化単位とし、前記ｍビットごとのデータを、所定の変換テーブルにしたがって変換した、ｍビットよりもビット数の多いｎビットの符号化データが記録される記録媒体であって、
前記符号化データにおいて信号の反転を意味する「１」が連続する回数をｎより小であって２以上である所定数Ｎ以下に制限し、変調後の符号化データを前記記録媒体に記録した場合において最短記録マークが連続する回数が所定回数以下に制限されることを特徴とする記録媒体。
【請求項１９】
前記ｍ＝８、前記ｎ＝９、前記Ｎ＝３であることを特徴とする請求項１８記載の記録媒体。
【請求項２０】
前記ｍ＝８、前記ｎ＝１０、前記Ｎ＝２であることを特徴とする請求項１８記載の記録媒体。
【請求項２１】
符号化データにおいて信号の非反転を意味する「０」が連続する回数をｍより小なる所定数Ｍ以下に制限することを特徴とする請求項１８記載の記録媒体。
【請求項２２】
前記ｍ＝８、前記ｎ＝９、前記Ｍ＝７であることを特徴とする請求項２１記載の記録媒体。
【請求項２３】
前記ｍ＝８、前記ｎ＝１０、及び、前記Ｍ＝６であることを特徴とする請求項２１記載の記録媒体。
【請求項２４】
任意のｍビットごとのデータを符号化単位とし、前記ｍビットごとのデータを、所定の変換テーブルにしたがって、ｍビットよりもビット数の多いｎビットの符号化データに変換する場合に、変換後の符号化データ列において信号の反転を意味する「１」と「１」の間に非反転を意味する「０」が１以上の所定数ｄ個以上含まれ、かつ、「０」の連続する個数を所定数ｋ以下とされる符号化データが記録される記録媒体であって、
符号化データにおいて「１」と「１」の間の「０」の個数が上記ｄ個であるデータ列が連続する回数をｋより小なる所定数Ｎ以下に制限し、変調後の符号化データを前記記録媒体に記録した場合において最短記録マークが連続する回数が所定回数以下に制限されることを特徴とする記録媒体。
【請求項２５】
光ディスクに記録されたｎビットの符号化データであって、
前記符号化データにおいて信号の反転を意味する「１」が連続する回数をｎより小であって２以上である所定数Ｎ以下に制限され、最短記録マークが連続する回数が所定回数以下に制限された符号化データを、所定の変換テーブルにしたがって、ｎビットよりもビット数の少ないｍビットの元のデータに変換して、データを再生することを特徴とする光ディスク装置。
【請求項２６】
前記ｍ＝８、前記ｎ＝９、前記Ｎ＝３であるとを特徴とする請求項２５に記載の光ディスク装置。
【請求項２７】
前記ｍ＝８、前記ｎ＝１０、前記Ｎ＝２であることを特徴とする請求項２５に記載の光ディスク装置。
【請求項２８】
レーザ光を発する光源と、この光源の発するレーザ光を光ディスクの信号記録面上に集光する対物レンズとを備え、
上記光源の発するレーザー光の波長をλ、上記対物レンズの開口数をＮＡとし、光ディスクに記録される最短記録マーク長の大きさをＬとしたとき、
Ｌ≦（０．３λ）／ＮＡ
が成立していることを特徴とする請求項２５記載の光ディスク装置。
【請求項２９】
符号化データにおいて信号の非反転を意味する「０」が連続する回数をｍより小なる所定数Ｍ以下に制限することを特徴とする請求項２５記載の光ディスク装置。
【請求項３０】
前記ｍ＝８、前記ｎ＝９、前記Ｍ＝７であることを特徴とする請求項２９記載の光ディスク装置。
【請求項３１】
前記ｍ＝８、前記ｎ＝１０、前記Ｍ＝６であることを特徴とする請求項２９記載の光ディスク装置。
【請求項３２】
レーザ光を発する光源と、この光源の発するレーザ光を光ディスクの信号記録面上に集光する対物レンズとを備え、
上記光源の発するレーザー光の波長をλ、上記対物レンズの開口数をＮＡとし、光ディスクに記録される最短記録マーク長の大きさをＬとしたとき、
Ｌ≦（０．３λ）／ＮＡ
が成立していることを特徴とする請求項２９記載の光ディスク装置。
【請求項３３】
光ディスクに記録されたｎビットの符号化データであって、
前記符号化データにおいて信号の反転を意味する「１」と「１」の間に信号の非反転を意味する「０」が１以上の所定数ｄ個以上含まれ、かつ、「０」の連続する個数を所定数ｋ以下とされ、
前記符号化データにおいて「１」と「１」の間の「０」の個数が上記ｄ個であるデータ列が連続する回数をｋより小なる所定数Ｎ以下に制限し、変調後の符号化データを信号記録媒体に記録した場合において最短記録マークが連続する回数が所定回数以下に制限される符号化データを、所定の変換テーブルにしたがって、ｎビットよりもビット数の少ないｍビットの元のデータに変換して、データを再生することを特徴とする光ディスク装置。
【請求項３４】
レーザ光を発する光源と、この光源の発するレーザ光を光ディスクの信号記録面上に集光する対物レンズとを備え、
上記光源の発するレーザー光の波長をλ、上記対物レンズの開口数をＮＡとし、光ディスクに記録される最短記録マーク長の大きさをＬとしたとき、
Ｌ≦（０．３λ）／ＮＡ
が成立していることを特徴とする請求項３３記載の光ディスク装置。
【手続補正２】
【補正対象書類名】明細書
【補正対象項目名】０００１
【補正方法】変更
【補正の内容】
【０００１】
【発明の属する技術分野】
本発明は、入力データを所定の符号化データに変調する信号変調方法、この変調方法により変調したデータを記録媒体に記録し、さらにはこの記録媒体に記録されたデータの再生を行う光ディスク装置に関し、さらには、上記変調方法で変調したデータが記録された記録媒体に関する。
【手続補正３】
【補正対象書類名】明細書
【補正対象項目名】００１４
【補正方法】変更
【補正の内容】
【００１４】
【課題を解決するための手段】
上述の課題を解決するため、本発明は、変調後のデータ系列において、最短記録マークが所定回数以上連続しないようにした信号変調方法を提案するものである。さらに、本発明では、磁壁移動検出型光磁気ディスクの再生において問題となる長いマークの長さを制限する信号変調方法を提案するものである。
すなわち、本発明に係る信号変調方法は、入力データの任意のｍビットごとのデータを符号化単位とし、前記ｍビットごとのデータを、所定の変換テーブルにしたがって、ｍビットよりもビット数の多いｎビットの符号化データに変換する信号変調方法であって、前記符号化データにおいて信号の反転を意味する「１」が連続する回数をｎより小であって２以上である所定数Ｎ以下に制限し、変調後の符号化データを信号記録媒体に記録した場合において最短記録マークが連続する回数が所定回数以下に制限されるようにしたものである。
また、本発明に係る信号変調方法は、入力データの任意のｍビットごとのデータを符号化単位とし、前記ｍビットごとのデータを、所定の変換テーブルにしたがって、ｍビットよりもビット数の多いｎビットの符号化データに変換し、変換後の符号化データ列において信号の反転を意味する「１」と「１」の間に非反転を意味する「０」が１以上の所定数ｄ個以上含まれ、かつ、「０」の連続する個数を所定数ｋ以下として変換する信号変調方法であって、符号化データにおいて「１」と「１」の間の「０」の個数が上記ｄ個であるデータ列が連続する回数をｋより小なる所定数Ｎ以下に制限し、変調後の符号化データを信号記録媒体に記録した場合において最短記録マークが連続する回数が所定回数以下に制限されるようにしたものである。
【手続補正４】
【補正対象書類名】明細書
【補正対象項目名】００１５
【補正方法】変更
【補正の内容】
【００１５】
本発明に係る光ディスク装置は、入力データの任意のｍビットごとのデータを符号化単位とし、前記ｍビットごとのデータを、所定の変換テーブルにしたがって、ｍビットよりもビット数の多いｎビットの符号化データに変換して光ディスクに記録する光ディスク装置であって、前記符号化データにおいて信号の反転を意味する「１」が連続する回数をｎより小であって２以上である所定数Ｎ以下に制限し、変調後の符号化データを光ディスクに記録した場合において最短記録マークが連続する回数が所定回数以下に制限するようにしたものである。
また、本発明に係る光ディスク装置は、入力データの任意のｍビットごとのデータを符号化単位とし、前記ｍビットごとのデータを、所定の変換テーブルにしたがって、各々をｍビットよりもビット数の多いｎビットの符号化データに変換し、変換後のデータ列において信号の反転を意味する「１」と「１」の間に信号の非反転を意味する「０」が１以上の所定数ｄ個以上含まれ、かつ、「０」の連続する個数を所定数ｋ以下として変換して光ディスクに記録する光ディスク装置であって、符号化データにおいて「１」と「１」の間の「０」の個数が上記ｄ個であるデータ列が連続する回数をｋより小なる所定数Ｎ以下に制限し、変調後の符号化データを信号記録媒体に記録した場合において最短記録マークが連続する回数が所定回数以下に制限するようにしたものである。
【手続補正５】
【補正対象書類名】明細書
【補正対象項目名】００１６
【補正方法】変更
【補正の内容】
【００１６】
さらに、本発明は、任意のｍビットごとのデータを符号化単位とし、前記ｍビットごとのデータを、所定の変換テーブルにしたがって変換した、ｍビットよりもビット数の多いｎビットの符号化データが記録される記録媒体であって、前記符号化データにおいて信号の反転を意味する「１」が連続する回数をｎより小であって２以上である所定数Ｎ以下に制限し、変調後の符号化データを前記記録媒体に記録した場合において最短記録マークが連続する回数が所定回数以下に制限されるようにしたものである。
さらにまた、本発明は、任意のｍビットごとのデータを符号化単位とし、前記ｍビットごとのデータを、所定の変換テーブルにしたがって、ｍビットよりもビット数の多いｎビットの符号化データに変換する場合に、変換後の符号化データ列において信号の反転を意味する「１」と「１」の間に非反転を意味する「０」が１以上の所定数ｄ個以上含まれ、かつ、「０」の連続する個数を所定数ｋ以下とされる符号化データが記録される記録媒体であって、符号化データにおいて「１」と「１」の間の「０」の個数が上記ｄ個であるデータ列が連続する回数をｋより小なる所定数Ｎ以下に制限し、変調後の符号化データを前記記録媒体に記録した場合において最短記録マークが連続する回数が所定回数以下に制限するようにしたものである。
【手続補正６】
【補正対象書類名】明細書
【補正対象項目名】００１７
【補正方法】変更
【補正の内容】
【００１７】
本発明に係る光ディスク装置は、光ディスクに記録されたｎビットの符号化データであって、前記符号化データにおいて信号の反転を意味する「１」が連続する回数をｎより小であって２以上である所定数Ｎ以下に制限され、最短記録マークが連続する回数が所定回数以下に制限された符号化データを、所定の変換テーブルにしたがって、ｎビットよりもビット数の少ないｍビットの元のデータに変換して、データを再生するようにしたものである。
【手続補正７】
【補正対象書類名】明細書
【補正対象項目名】００１８
【補正方法】変更
【補正の内容】
【００１８】
また、本発明に係る光ディスク装置は、光ディスクに記録されたｎビットの符号化データであって、前記符号化データにおいて信号の反転を意味する「１」と「１」の間に信号の非反転を意味する「０」が１以上の所定数ｄ個以上含まれ、かつ、「０」の連続する個数を所定数ｋ以下とされ、前記符号化データにおいて「１」と「１」の間の「０」の個数が上記ｄ個であるデータ列が連続する回数をｋより小なる所定数Ｎ以下に制限し、変調後の符号化データを信号記録媒体に記録した場合において最短記録マークが連続する回数が所定回数以下に制限される符号化データを、所定の変換テーブルにしたがって、ｎビットよりもビット数の少ないｍビットの元のデータに変換して、データを再生するようにしたものである。
上述したような本発明は、最短記録マーク長Ｌが以下の関係を満たす場合において微小マークを記録する光ディスク装置において使用するのに特に好適である。
Ｌ≦（０．３λ）／ＮＡ
例えば、磁気超解像ディスクや磁区拡大ディスク、磁壁移動検出型光磁気ディスク等を媒体とする光ディスク装置において使用するのに特に好適である。